(57)【要約】【課題】通信リンクを所定の周波数範囲内に較正すること【解決手段】受信機の周波数応答の位置を突き止めるために周波数ランプを用いる、通信リンクを較正するための方法。本発明による較正方法は、一連の周波数ランプを含む送信信号を生成し、送信信号の周波数ランプに応じて、受信機のゲインピークのタイミングを求めることを含む。受信機のゲインピークのタイミングは、受信機の周波数応答を示し、送信信号が受信機の周波数応答に適合するように、送信信号に対する調整値を求めるために使用される。【選択図】図１
2007089169.tif 000002
【特許請求の範囲】
【請求項１】
一連の周波数ランプを含む送信信号を生成し、
前記送信信号の前記周波数ランプに応じて受信機のゲインピークのタイミングを求め、
前記ゲインピークのタイミングに応じて前記送信信号に対する調整値を求めることを含む、通信システムを較正するための方法。
【請求項２】
前記送信信号を生成することが、一連の連続的な周波数ランプを生成することを含む、請求項１に記載の方法。
【請求項３】
前記送信信号を生成することが、一連の階段状の周波数ランプを生成することを含む、請求項１に記載の方法。
【請求項４】
前記送信信号を生成することが、前記受信機の通過帯域の不確実な帯域を包含する周波数範囲を有する一連の周波数ランプを生成することを含む、請求項１に記載の方法。
【請求項５】
前記調整値を求めることが、前記ゲインピークのタイミングの非対称性を判定することを含む、請求項１に記載の方法。
【請求項６】
前記ゲインピークのタイミングを求めることが、
第１の上昇する周波数ランプに対するゲインピークと第１の下降する周波数ランプに対するゲインピークとの間の時間を求め、
第２の下降する周波数ランプに対するゲインピークと第２の上昇する周波数ランプに対するゲインピークとの間の時間を求めることを含む、請求項１に記載の方法。
【請求項７】
前記調整値を求めることが、前記時間の差を判定することを含む、請求項６に記載の方法。
【請求項８】
前記調整値を求めることが、前記送信信号の周波数シフトを判定することを含む、請求項１に記載の方法。
【請求項９】
一連の周波数ランプを含む送信信号を生成する送信機と、
前記送信信号に対する調整値がゲインピークのタイミングにより示されるように、前記周波数ランプに応じて一連のゲインピークに到達する受信機とを含む、通信システム。
【請求項１０】
前記受信機が、前記タイミングに応じて前記送信信号に対する調整値を求める、請求項９に記載の通信システム。
【請求項１１】
前記送信機が、前記タイミングに応じて前記送信信号に対する調整値を求める、請求項９に記載の通信システム。
【請求項１２】
前記送信信号が、一連の連続的な周波数ランプを含む、請求項９に記載の通信システム。
【請求項１３】
前記送信信号が、一連の階段状の周波数ランプを含む、請求項９に記載の通信システム。
【請求項１４】
前記送信信号が、前記受信機の通過帯域の不確実な帯域を包含する周波数範囲を有する一連の周波数ランプを含む、請求項９に記載の通信システム。
【請求項１５】
前記調整値が、前記ゲインピークのタイミングの非対称性を判定することにより求められる、請求項９に記載の通信システム。
【請求項１６】
前記ゲインピークのタイミングが、第１の上昇する周波数ランプに対するゲインピークと第１の下降する周波数ランプに対するゲインピークとの間の時間、及び第２の下降する周波数ランプに対するゲインピークと第２の上昇する周波数ランプに対するゲインピークとの間の時間を含む、請求項９に記載の通信システム。
【請求項１７】
前記調整値が、前記時間の差を判定することにより求められる、請求項１６に記載の通信システム。
【請求項１８】
前記調整値が、前記送信信号の周波数シフトを判定することにより求められる、請求項９に記載の通信システム。
【発明の詳細な説明】
【技術分野】
【０００１】
本発明は、周波数ランプ（ramp）を用いた通信リンクの較正に関する。
【背景技術】
【０００２】
送信機と受信機を用いて、通信リンクが形成され得る。例えば、送信機は、通信リンクを介して伝達されるべき情報を搬送する送信信号を生成することができ、受信機は、送信信号を受信して送信信号から情報を復元することができる。通信リンクの一例は、無線周波数（ＲＦ）通信リンクである。
【０００３】
送信機と受信機は、通信リンクの所定の周波数範囲を用いる通信に適合され得る。通信リンクの所定の周波数範囲は、周波数帯域とも呼ばれる場合がある。送信機は、通信リンクの周波数帯域内にある周波数を有する送信信号を生成することができる。受信機は、通信リンクの周波数帯域外にある信号を除外する入力フィルタを含むことができる。
【０００４】
受信機の周波数応答は、温度の変化に応じてドリフトする可能がある。例えば、受信機の入力フィルタの通過帯域は、温度の変化に応じてドリフトする可能性がある。さらに、フィルタの構成要素の製造上のバラツキにより、種々の受信機の周波数応答にバラツキが生じる可能性がある。残念ながら、周波数応答のバラツキは、受信機の入力フィルタが通信リンクの周波数帯域内にある送信信号を除去する場合には、通信障害を生じる可能性がある。
【発明の開示】
【発明が解決しようとする課題】
【０００５】
従って、本発明の課題は、上述した技術的な問題を克服、又は少なくとも緩和することにある。
【課題を解決するための手段】
【０００６】
受信機の周波数応答の位置を突き止めるために周波数ランプを用いる、通信リンクを較正するための方法が開示される。本発明による通信リンクを較正するための方法は、一連の周波数ランプを含む送信信号を生成し、送信信号の周波数ランプに応じて、受信機のゲインピークのタイミングを求めることを含む。受信機のゲインピークのタイミングは、受信機の周波数応答を示し、送信信号が受信機の周波数応答に適合するように、送信信号に対する調整値を求めるために使用される。
【０００７】
本発明の他の特徴および利点は、以下の詳細な説明から明らかになるであろう。
【発明の効果】
【０００８】
本発明によれば、送信機を受信機の周波数応答に較正することが可能になる。
【発明を実施するための最良の形態】
【０００９】
本発明は、その特定の例示的な実施形態に関連して説明され、適宜に図面を参照する。
【００１０】
図１は、本発明による通信リンクを較正するための方法を示す。図示された方法を用いて、送信機を受信機の周波数応答に較正することができる。
【００１１】
ステップ１０において、一連の周波数ランプを有する送信信号が生成される。周波数ランプにより包含される周波数の範囲は、受信機の通過帯域が設定される可能性が高い周波数範囲に応じて予め選択され得る。例えば、受信機の通過帯域が、不確実な帯域内でドリフトする可能性があり、周波数ランプの周波数の範囲が不確実な帯域を包含することができることは知られているであろう。
【００１２】
ステップ１２において、周波数ランプに応じて受信機のゲインピークのタイミングが求められる。ゲインピークのタイミングは、周波数ランプに関連して受信機の通過帯域の相対位置を示す。例えば、ゲインピークのタイミングは、受信機の通過帯域が周波数ランプにより包含された相対的に低い周波数、又は周波数ランプにより包含された相対的に高い周波数、又は中間のどこかにあることを示すことができる。
【００１３】
ステップ１４において、送信機周波数の調整値が、ゲインピークのタイミングに応じて求められる。受信機の通過帯域が周波数ランプにより包含された周波数の範囲の相対的に中間点の周波数にあるように、送信機周波数の調整値を用いて、周波数ランプにより包含された周波数の範囲を調整することができる。例えば、送信信号の周波数ランプは、ステップ１２からのゲインピークのタイミングに応じて、周波数のシフトアップ又はシフトダウンをされ得る。
【００１４】
図２は、送信信号における一連の上昇し下降する周波数ランプに応答した受信機でのゲインピークのタイミングの例を示す。この例における送信信号は、下降する周波数ランプＲ１、続いて下降する周波数ランプＲ２、続いて上昇する周波数ランプＲ３及び上昇する周波数ランプＲ４、続いて下降する周波数ランプＲ５とＲ６を含む。周波数ランプＲ１〜Ｒ６により包含される周波数の範囲は、低い周波数ｆａと高い周波数ｆｂとの間である。
【００１５】
周波数ランプＲ１〜Ｒ６に応答した受信機のピークゲインＧｐは、受信機の通過帯域の中心周波数であるｆ０の周波数にある。周波数ｆ０は、周波数ランプＲ１〜Ｒ６の周波数範囲の低い周波数の限界の近くにある。
【００１６】
周波数ランプＲ１〜Ｒ６に関連した受信機の通過帯域の相対的位置は、相補的な上昇／下降および下降／上昇のパターンを有する周波数ランプＲ１〜Ｒ６に応答して、受信機のゲインピークのタイミングにおける非対称性により示される。例えば、周波数ランプＲ４に応答した受信機のゲインピークと周波数ランプＲ５に応答した受信機のゲインピークとの間の時間はｔ１であるが、周波数ランプＲ２に応答した受信機のゲインピークと周波数ランプＲ３に応答した受信機のゲインピークとの間の時間はｔ２である。ｔ１がｔ２より大きいという事実により、受信機の通過帯域の中心周波数ｆ０が周波数ランプＲ１〜Ｒ６のｆａ〜ｆｂの範囲において比較的低いことが示される。
【００１７】
図３は、送信信号における一連の上昇し下降する周波数ランプＲ７〜Ｒ１２に応答した受信機でのゲインピークのタイミングの例を示す。周波数ランプＲ７〜Ｒ１２により包含された周波数の範囲は、ｆｃとｆｄとの間である。受信機の通過帯域の中心周波数ｆ０は、周波数ランプＲ７〜Ｒ１２の高い周波数の限界の近くにある。周波数ランプＲ１０に応答した受信機のゲインピークと周波数ランプＲ１１に応答した受信機のゲインピークとの間の時間（ｔ１）、及び周波数ランプＲ８に応答した受信機のゲインピークと周波数ランプＲ９に応答した受信機のゲインピークとの間の時間（ｔ２）は、ｔ１がｔ２より小さいようになっている。ｔ１がｔ２より小さいという事実により、受信機の通過帯域の中心周波数ｆ０が周波数ランプＲ７〜Ｒ１２のｆｃ〜ｆｄの範囲において比較的高いことが示される。
【００１８】
図４は、送信信号における一連の上昇し下降する周波数ランプＲ１３〜Ｒ１８に応答した受信機でのゲインピークのタイミングの別の例を示す。周波数ランプＲ１３〜Ｒ１８により包含された周波数の範囲は、ｆｇとｆｈとの間である。受信機の通過帯域の中心周波数ｆ０は、周波数ランプＲ１３〜Ｒ１８の中心周波数の近くにある。周波数ランプＲ１６に応答した受信機のゲインピークと周波数ランプＲ１７に応答した受信機のゲインピークとの間の時間（ｔ１）、及び周波数ランプＲ１４に応答した受信機のゲインピークと周波数ランプＲ１５に応答した受信機のゲインピークとの間の時間（ｔ２）は、ｔ１がｔ２にほぼ等しいようになっている。ｔ１がｔ２にほぼ等しいという事実により、受信機の通過帯域の中心周波数ｆ０が周波数ランプＲ１３〜Ｒ１８のｆｇ〜ｆｈの範囲において中心周波数の近くにあることが示される。
【００１９】
図５は、本発明を組み込む通信システム１００を示す。通信システム１００は、送信機１１２及び受信機１１４を含む。送信機１１２は、一連の周波数ランプを含む送信信号１２０を生成する。一実施形態において、情報は、周波数ランプを用いて送信信号１２０に符号化される。例えば、下降する周波数ランプは情報の「０」を示し、上昇する周波数ランプは情報の「１」を示すことができ、逆もまた同じである。
【００２０】
受信機１１４は、上述した態様で送信信号１２０の周波数ランプに応答してそのゲインピークのタイミングを測定するための回路を含む。一実施形態において、受信機１１４は、上記に示されたようなｔ１とｔ２の値を計算し、ｔ１とｔ２の値を用いて、送信信号がシフトアップされるべきか（ｔ２＞ｔ１）、又はシフトダウンされるべきか（ｔ１＞ｔ２）、又は同じ状態のままである（ｔ１＝ｔ２）べきかを判定する。受信機１１４は、ゲインピークのタイミングに応じて送信機周波数の調整値を求め、送信機周波数の調整値を送信機１１２に伝える。例えば、受信機１１４は、送信機１１２の周波数を増大させる命令、又はその周波数を減少させる命令を送信機１１２に送信することができる。送信機１１２は、送信信号１２０の周波数ランプを周波数においてシフトアップすることにより、その周波数を増大させる。送信機１１２は、送信信号１２０の周波数ランプを周波数においてシフトダウンすることにより、その周波数を減少させる。
【００２１】
別の実施形態において、受信機１１４はゲインピークの未処理のタイミングを送信機１１２に伝え、送信機１１２は送信機周波数の調整値を求める。
【００２２】
受信機１１４は、送信信号１２０を搬送するために使用される周波数帯域を介して、又は送信機１１２と受信機１１４との間の別の通信チャネルを介して、ゲインピークのタイミング又は送信機周波数の調整の命令を送信機１１２に伝えることができる。
【００２３】
送信信号１２０の周波数ランプは、連続的な周波数ランプとすることができ、振幅変調を用いて、受信機１１４のゲインピークのタイミングを測定するためのクロックを提供することができる。代案として、送信信号１２０の周波数ランプは、ゲインピーク間のタイミングがステップ（段）の単位であるように、ステップ間の周波数が基準を提供する階段状ランプとすることができる。
【００２４】
本発明の前述の詳細な説明は、例示のために提供され、網羅的にすること、又は本発明を開示されたそのものずばりの実施形態に限定することは意図されていない。従って、本発明の範囲は添付の特許請求の範囲により定義される。
【図面の簡単な説明】
【００２５】
【図１】本発明による通信リンクを較正するための方法を示す図である。
【図２】送信信号における一連の上昇し下降する周波数ランプに応答した受信機でのゲインピークのタイミングの例を示す図である。
【図３】送信信号における一連の上昇し下降する周波数ランプに応答した受信機でのゲインピークのタイミングの例を示す図である。
【図４】送信信号における一連の上昇し下降する周波数ランプに応答した受信機でのゲインピークのタイミングの例を示す図である。
【図５】本発明を組み込む通信システムを示す図である。
【符号の説明】
【００２６】
100  通信システム
112  送信機
114  受信機
120  送信信号
【図１】
2007089169.tif 000003
【図２】
2007089169.tif 000004
【図３】
2007089169.tif 000005
【図４】
2007089169.tif 000006
【図５】
2007089169.tif 000007